(57)【特許請求の範囲】
【請求項１】
複数対戦の擬似開始日時を決定する擬似開始日時決定手段と、
前記擬似開始日時決定手段により決定される各対戦の擬似開始日時に基づいて、前記複数対戦のうちプレイヤのプレイ対象が参加する主対戦の実施中に少なくとも一部が並行して実施される少なくとも１つの対戦を該主対戦の関連対戦として選出する関連対戦選出手段と、
前記関連対戦をシミュレートする関連対戦シミュレート手段と、
前記関連対戦において発生する所定種類のイベントについて、イベント日時及びイベント内容を記憶するイベント記憶手段と、
前記主対戦を実行する主対戦実行手段と、
前記主対戦の実行中、前記イベント記憶手段により記憶される前記イベント日時の到来を監視するイベント日時到来監視手段と、
前記主対戦の実行中、前記イベント日時到来監視手段により前記イベント日時が到来したと判断される場合に、該イベント日時に対応するイベント内容を出力するイベント内容出力手段と、
を含むことを特徴とするゲーム装置。
【請求項２】
請求項１に記載のゲーム装置において、
前記イベント記憶手段は、前記イベント内容として前記関連対戦において発生する所定種類のイベントを再現表示するためのリプレイデータを前記イベント内容として記憶し、
前記イベント内容出力手段は、前記リプレイデータに基づいて前記関連対戦において発生する所定種類のイベントを再現表示する、
ことを特徴とするゲーム装置。
【請求項３】
複数対戦の擬似開始日時を決定する擬似開始日時決定手段、
前記擬似開始日時決定手段により決定される各対戦の擬似開始日時に基づいて、前記複数対戦のうちプレイヤのプレイ対象が参加する主対戦の実施中に少なくとも一部が並行して実施される少なくとも１つの対戦を該主対戦の関連対戦として選出する関連対戦選出手段、
前記関連対戦をシミュレートする関連対戦シミュレート手段、
前記関連対戦において発生する所定種類のイベントについて、イベント日時及びイベント内容を記憶するイベント記憶手段、
前記主対戦を実行する主対戦実行手段、
前記主対戦の実行中、前記イベント記憶手段により記憶される前記イベント日時の到来を監視するイベント日時到来監視手段、及び、
前記主対戦の実行中、前記イベント日時到来監視手段により前記イベント日時が到来したと判断される場合に、該イベント日時に対応するイベント内容を出力するイベント内容出力手段、
としてコンピュータを機能させるためのプログラム。
【発明の詳細な説明】
【０００１】
【発明の属する技術分野】
本発明はゲーム装置、プログラム及びプログラム配信装置に関する。
【０００２】
【従来の技術】
各種スポーツゲーム等において、プレイヤのプレイ対象が参加する対戦とは別に、ゲーム機等のコンピュータが自動実行（シミュレーション）する対戦を設けて、トーナメント方式又はリーグ方式にてプレイヤが対戦を繰り返すようにしたゲームが知られている。例えば、サッカーシミュレーションゲームでは、プレイヤのプレイ対象であるサッカーチームとは別に、多数のサッカーチームが設けられている。そして、プレイ対象であるサッカーチームが参加する対戦（主対戦）においてはプレイヤのゲーム操作を受け付けるものの、他の対戦についてはゲーム機側でソフトウェアによりシミュレーションして対戦結果を算出するようにしている。
【０００３】
【発明が属する技術分野】
しかしながら、従来のゲームでは、簡易なシミュレーションによって対戦結果を算出するだけであり、プレイヤは、主対戦に並行して他の対戦が現に実施されているという雰囲気を味わうことができなかった。トーナメント方式又はリーグ方式の対戦のように、主対戦に関連ある他の対戦について、対戦中に随時戦況報告等されるようになれば、プレイヤのプレイ戦略にも役立てることができ、ゲームの緊張感をさらに盛り上げることができるものと期待される。
【０００４】
本発明は上記課題に鑑みてなされたものであって、その目的は、プレイヤのプレイ対象が参加する主対戦の実施中に少なくとも一部が並行して実施される関連対戦について、主対戦の実行中、そのイベント内容を出力することができるゲーム装置、プログラム及びその配信装置を提供することにある。
【０００５】
【課題を解決するための手段】
上記課題を解決するために、本発明に係るゲーム装置は、複数対戦の擬似開始日時を決定する擬似開始日時決定手段と、前記擬似開始日時決定手段により決定される各対戦の擬似開始日時に基づいて、前記複数対戦のうちプレイヤのプレイ対象が参加する主対戦の実施中に少なくとも一部が並行して実施される少なくとも１つの対戦を該主対戦の関連対戦として選出する関連対戦選出手段と、前記関連対戦をシミュレートする関連対戦シミュレート手段と、前記関連対戦において発生する所定種類のイベントについて、イベント日時及びイベント内容を記憶するイベント記憶手段と、前記主対戦を実行する主対戦実行手段と、前記主対戦の実行中、前記イベント記憶手段により記憶される前記イベント日時の到来を監視するイベント日時到来監視手段と、前記主対戦の実行中、前記イベント日時到来監視手段により前記イベント日時が到来したと判断される場合に、該イベント日時に対応するイベント内容を出力するイベント内容出力手段と、を含むことを特徴とする。
【０００６】
また、本発明に係るプログラムは、複数対戦の擬似開始日時を決定する擬似開始日時決定手段、前記擬似開始日時決定手段により決定される各対戦の擬似開始日時に基づいて、前記複数対戦のうちプレイヤのプレイ対象が参加する主対戦の実施中に少なくとも一部が並行して実施される少なくとも１つの対戦を該主対戦の関連対戦として選出する関連対戦選出手段、前記関連対戦をシミュレートする関連対戦シミュレート手段、前記関連対戦において発生する所定種類のイベントについて、イベント日時及びイベント内容を記憶するイベント記憶手段、前記主対戦を実行する主対戦実行手段と、前記主対戦の実行中、前記イベント記憶手段により記憶される前記イベント日時の到来を監視するイベント日時到来監視手段、及び、前記主対戦の実行中、前記イベント日時到来監視手段により前記イベント日時が到来したと判断される場合に、該イベント日時に対応するイベント内容を出力するイベント内容出力手段、としてコンピュータを機能させるためのプログラムである。
【０００７】
また、本発明に係るプログラム配信装置は、複数対戦の擬似開始日時を決定する擬似開始日時決定手段、前記擬似開始日時決定手段により決定される各対戦の擬似開始日時に基づいて、前記複数対戦のうちプレイヤのプレイ対象が参加する主対戦の実施中に少なくとも一部が並行して実施される少なくとも１つの対戦を該主対戦の関連対戦として選出する関連対戦選出手段、前記関連対戦をシミュレートする関連対戦シミュレート手段、前記関連対戦において発生する所定種類のイベントについて、イベント日時及びイベント内容を記憶するイベント記憶手段、前記主対戦を実行する主対戦実行手段と、前記主対戦の実行中、前記イベント記憶手段により記憶される前記イベント日時の到来を監視するイベント日時到来監視手段、及び、前記主対戦の実行中、前記イベント日時到来監視手段により前記イベント日時が到来したと判断される場合に、該イベント日時に対応するイベント内容を出力するイベント内容出力手段、としてコンピュータを機能させるためのプログラムを記憶する情報記憶媒体を備え、該情報記憶媒体から前記プログラムを読み出し、配信するものである。ここで、配信は、いわゆるダウンロード型配信とストリーム型配信の両方を含む意味である。
【０００８】
本発明によれば、複数対戦の擬似開始日時が決定され、それに基づいて主対戦の関連対戦が選出される。主対戦は、複数対戦のうちプレイヤのプレイ対象、例えばスポーツ選手、ロボット、自動車、飛行機等の単体又はチーム等が参加するものである。また、関連対戦は、複数対戦のうち、主対戦の実施中に一部が並行して実施される、すなわち重なって実施される対戦である。関連対戦については、例えば家庭用ゲーム機等のコンピュータゲームシステム、サーバコンピュータシステム、パーソナルコンピュータシステム等の各種コンピュータによりシミュレート（擬似実施）される。そして、所定種類のイベント、例えば得点イベント、選手等プレイ対象の全部又は一部の交代イベント、選手等プレイ対象の全部又は一部のダメージイベント等が発生する場合には、イベント日時とイベント内容が記憶される。一方、主対戦は、例えばコントローラの入力等に基づいて実行される。主対戦の実施（実行）中、イベント日時の到来が監視されるようになっており、イベント日時が到来したと判断されると、該イベント日時に対応するイベント内容が、例えば表示、音声、振動、送信等により出力される。こうして、本発明によれば、主対戦の実行中に関連対戦に係るイベント日時を出力して、ゲームの興趣を高めることができる。
【０００９】
また、本発明の一態様においては、前記イベント記憶手段は、前記イベント内容として前記関連対戦において発生する所定種類のイベントを再現表示するためのリプレイデータを前記イベント内容として記憶し、前記イベント内容出力手段は、前記リプレイデータに基づいて前記関連対戦において発生する所定種類のイベントを再現表示する。こうすれば、主対戦の実行中に、関連対戦において発生する所定種類のイベントを再現表示することができる。
【００１０】
【発明の実施の形態】
以下、本発明の一実施形態について図面に基づき詳細に説明する。
【００１１】
図１は、本発明の一実施形態に係るゲーム装置のハードウェア構成を示す図である。同図に示すゲーム装置１０は、モニタ１８及びスピーカ２２に接続された家庭用ゲーム機４６に、情報記憶媒体たるＤＶＤ（商標）−ＲＯＭ２５及びメモリカード４２が装着され、さらにモニタ１８及びスピーカ２２が接続されることによって実現されている。モニタ１８には家庭用テレビ受像器が用いられ、スピーカ２２にはその内蔵スピーカが用いられる。また、ここではプログラムを家庭用ゲーム機４６に供給するためにＤＶＤ−ＲＯＭ２５を用いるが、ＣＤ−ＲＯＭやＲＯＭカード等、他のあらゆる情報記憶媒体を用いるようにしてもよい。また、後述するように、インターネット等のデータ通信網を介して遠隔地からプログラムを家庭用ゲーム機４６に供給するようにしてもよい。
【００１２】
家庭用ゲーム機４６は、マイクロプロセッサ１４、画像処理部１６、主記憶２６、入出力処理部３０、音声処理部２０、コントローラ３２及びＤＶＤ−ＲＯＭ再生部２４を含んで構成される公知のコンピュータゲームシステムである。マイクロプロセッサ１４、画像処理部１６、主記憶２６及び入出力処理部３０は、バス１２によって相互データ通信可能に接続されており、入出力処理部３０には、コントローラ３２、音声処理部２０、ＤＶＤ−ＲＯＭ再生部２４及びメモリカード４２が接続されている。コントローラ３２以外の家庭用ゲーム機４６の各構成要素は筐体内に収容されている。
【００１３】
マイクロプロセッサ１４は、図示しないＲＯＭに格納されるオペレーティングシステム、ＤＶＤ−ＲＯＭ２５から読み出されるプログラム、及びメモリカード４２から読み出されるセーブデータに基づいて、家庭用ゲーム機４６の各部を制御し、プレイヤにゲームを提供する。バス１２はアドレス及びデータを家庭用ゲーム機４６の各部でやり取りするためのものである。また、主記憶２６は、例えばＲＡＭを含んで構成されるものであり、ＤＶＤ−ＲＯＭ２５から読み出されたプログラムやメモリカード４２から読み出されたセーブデータが必要に応じて書き込まれる。また、主記憶２６は、マイクロプロセッサ１４の作業用としても用いられる。画像処理部１６はＶＲＡＭを含んで構成されており、マイクロプロセッサ１４から送られる画像データを受け取ってＶＲＡＭ上にゲーム画面を描画するとともに、その内容をビデオ信号に変換してモニタ１８に出力する。
【００１４】
入出力処理部３０は、マイクロプロセッサ１４が、コントローラ３２、音声処理部２０、ＤＶＤ−ＲＯＭ再生部２４及びメモリカード４２にアクセスするためのインタフェースである。音声処理部２０はサウンドバッファを含んで構成されており、ＤＶＤ−ＲＯＭ２５から読み出され、該サウンドバッファに記憶されたゲーム音楽、ゲーム効果音、メッセージ等の各種音声データを再生してスピーカ２２から出力する。ＤＶＤ−ＲＯＭ再生部２４は、マイクロプロセッサ１４からの指示に従ってＤＶＤ−ＲＯＭ２５に記録されたプログラムを読み取る。コントローラ３２は、プレイヤが各種ゲーム操作の入力をするための汎用操作入力手段である。また、メモリカード４２は、不揮発性メモリ（例えばＥＥＰＲＯＭ等）を含んでおり、家庭用ゲーム機４６に対して脱着可能に構成されている。このメモリカード４２には、各種ゲームのセーブデータ等が記憶される。
【００１５】
図２は、コントローラ３２の一例を示す図である。同図に示すコントローラ３２は汎用ゲームコントローラであり、同図に示すように、方向キー３４、スタートボタン３６、ボタン３８Ｘ，３８Ｙ，３８Ａ，３８Ｂを備えている。方向キー３４は十字形状を有しており、通常はキャラクタやカーソルの移動方向を指定するために用いられる。スタートボタン３６は三角形状を有する小型の押しボタンであり、通常はゲームのスタートやゲームの強制終了などに用いられる。ボタン３８Ｘ，３８Ｙ，３８Ａ，３８Ｂ，３９Ｌ，３９Ｒ，４１Ｌ，４１Ｒは、その他のゲーム操作に用いられる。なお、以下に説明するゲーム（サッカーシミュレーションゲーム）では、方向キー３４がメニュー選択のために用いられ、ボタン３８Ｂが選択肢決定に用いられる。
【００１６】
以下、かかるハードウェア構成によりサッカーシミュレーションを実現する技術についてさらに具体的に説明する。
【００１７】
このサッカーシミュレーションゲームは、通常のサッカーゲームとは異なり、プレイヤは選手ではなく監督の立場でゲームをプレイする。すなわち、このゲームでは、プレイヤは所定チームの監督に就任して、第１の大会（リーグ形式やトーナメント形式等）に参戦する。その後、チーム成績に応じてチームを変わったり、他の大会に参戦したりして、最終的に日本一又は世界一を目指す。ここで特徴的な点は、対戦中、裏試合、すなわち同じ時間帯に実施されている他の対戦において、得点や怪我人発生等のイベントが発生すると、そのイベントの内容が、プレイヤがプレイしている対戦中に出力されることである。イベント内容は、「○○対××の試合、××が１点を挙げました！」や「○○対××の試合、○○のＡ選手が負傷退場しました。」等、イベントの内容を表すものである。イベント内容は、例えばニュース速報のような形式でモニタ１８の隅に表示出力させてもよいし、例えば実況中継のようにしてスピーカ２２から音声出力させてもよい。
【００１８】
図３は、本ゲーム装置１０の機能ブロック図である。同図に示す各機能はＤＶＤ−ＲＯＭ２５に格納されているプログラムをマイクロプロセッサ１４が実行することにより実現されるものである。同図に示すように、ゲーム装置１０で実現される機能には、関連対戦選出部５２、擬似開始日時決定部５４、対戦決定部５６、ゲームデータベース５８、他対戦シミュレート部６０、主対戦部７４、関連対戦シミュレート部６８、操作部７０及びイベント記憶部７２が含まれる。主対戦部７４は、プレイヤのプレイ対象であるサッカーチーム（プレイヤチーム）が参加する対戦に関係する情報処理を行うものであり、イベント内容出力部６２、イベント日時到来監視部６４及び主対戦実行部６６が含まれる。また、これらの機能ブロックは、図示しない制御部により制御される。この制御部もまた、ＤＶＤ−ＲＯＭ２５に格納されているプログラムをマイクロプロセッサ１４が実行することにより実現されるものである。
【００１９】
まず、ゲームデータベース５８は、ゲーム空間に用意されているサッカーチームやサッカー場に関する現在情報を記憶するものであり、例えば主記憶２６に構築される。対戦決定部５６は、ゲームデータベース５８に記憶されるサッカーチーム情報に基づき、対戦カードを決定する。擬似開始日時決定部５４は、こうして決定される各対戦について、ゲーム空間における開催日時、すなわち擬似開始日時を決定する。図４は、対戦決定部５６及び擬似開始日時決定部により決定される事項を示す図である。この図は、対戦決定部５６がトーナメント形式で対戦カードを決定する例を示すものであり、Ａ〜Ｈはサッカーチームを表し、日時は擬似開始日時を表している。対戦決定部５６は、主対戦実行部６６、関連対戦シミュレート部６８及び他対戦シミュレート部６０から対戦結果を受け取るようになっており、対戦結果を受け取ると、さらに次の対戦カードを決定するようになっている。
【００２０】
関連対戦選出部５２は、擬似開始日時決定部５４により決定される各対戦の擬似開始日時に基づいて、ゲーム空間において、対戦カードのうち主対戦の実施中に少なくとも一部時間が並行して実施される対戦を選び出し、さらにその一部又は全部を関連対戦として選出する。ここで、主対戦とは、プレイヤチームが参加する対戦である。また、関連対戦は、プレイヤチームと順位がきっ抗していたり、プレイヤチームが近く対戦する予定であったりするチームが参加する対戦カード等、プレイヤチームに関連の深い対戦カードである。
【００２１】
操作部７０は、コントローラ３２を含んで構成されるものであり、プレイヤがサッカーチームの監督として、戦術・フォーメーション・選手交代等を指示するものである。他対戦シミュレート部６０は、ゲームデータベース５８に記憶されるサッカーチーム情報（選手情報を含む）に基づき、主対戦及び関連対戦以外の各対戦をシミュレートするものである。また、関連対戦シミュレート部６８は、ゲームデータベース５８に記憶される関連対戦に係るサッカーチーム情報に基づき、関連対戦をシミュレートするものである。これらのシミュレーションは、両チームの各プレイヤをＡＩ（人工知能）により実際に仮想空間において動作させる詳細なものであってもよいし、例えば両チームの守備力や攻撃力等のパラメータを用いて対戦結果等の必要な情報だけを算出する簡易なものであってもよい。なお、これらシミュレーションによりゲームデータベース５８の内容は必要に応じて更新される。イベント記憶部７２は、関連対戦において発生する所定種類のイベント（ここでは得点イベント及び負傷者発生イベント）について、イベント日時及びイベント内容を記憶する。イベント日時は、ゲーム空間における仮想的な日付及び時刻情報である。
【００２２】
主対戦実行部６６は、ゲームデータベース５８に記憶される主対戦に係るサッカーチーム情報に基づき、操作部７０によるプレイヤからの指示に従って主対戦を実行する。図５は、主対戦の実行時、モニタ１８に表示される画面例を示す図である。また、主対戦の実行中、イベント日時到来監視部６４は、イベント記憶部７２に記憶されるイベント日時の到来を監視する。イベント記憶部７２には関連対戦、すなわち実施時間が主対戦と重複する対戦に係るイベント日時が記憶されており、主対戦の実行中、このイベント日時が仮想的に到来する。この監視を実現させるため、主対戦実行部６６ではゲーム空間における日付及び時刻を管理・更新するようにしておき、イベント日時到来監視部６４がこの日時がイベント記憶部７２に記憶されているイベント日時に一致するタイミングを監視するようにすればよい。イベント内容出力部６２は、主対戦の実行中、イベント日時到来監視部６４により関連対戦のイベント日時が到来したと判断される場合に、該イベント日時に対応するイベント内容をイベント記憶部７２から読み出し、それをモニタ１８やスピーカ２２から出力する。図５では、主対戦の対戦状況の下側に、関連対戦で発生したイベントに係るイベント内容がウィンドウ表示される例を示している。
【００２３】
なお、イベント記憶部７２に、関連対戦において発生する所定種類のイベントを再現表示するためのリプレイデータをイベント内容として記憶し、イベント内容出力部６２は、リプレイデータに基づいて関連対戦において発生する所定種類のイベントを再現表示するようにすれば、プレイヤは関連対戦において発生するイベント内容をさらに具体的に把握することができるようになる。
【００２４】
ここで、ゲーム装置１０の動作について説明する。
【００２５】
図６は、ゲーム装置１０において実行される大会ルーチンを示すフロー図である。同図に示される大会ルーチンは、ＤＶＤ−ＲＯＭ２５に格納されているプログラムに基づき、例えば自分が監督するチームを大会に参加させる指示操作をプレイヤが行ったときに実行されるものである。
【００２６】
この処理では、まず対戦決定部５６が対戦カードをする（Ｓ１０１）。そして、擬似開始日時決定部５４が各対戦の開始日時を決定する（Ｓ１０２）。さらに、関連対戦選出部５２が対戦カードのうち主対戦の裏試合である関連対戦を選出する（Ｓ１０３）。
【００２７】
その後、図示しない制御部がモニタ１８にシミュレーション背景画像を表示させる（Ｓ１０４）。この画像は、対戦シミュレーションが実行されている間、表示されるものである。この画像表示に会わせて、音楽等をスピーカ２２から出力させるようにしても好適である。次に、他対戦シミュレート部６０が他対戦、すなわち主対戦並びに関連対戦以外の対戦をシミュレートする（Ｓ１０５）。さらに、関連対戦シミュレート部６０が関連対戦をシミュレートする（Ｓ１０６）。このとき、関連対戦において発生する得点イベント及び負傷者発生イベントについて、そのイベント日時及びイベント内容がイベント記憶部７２に記憶される。その後、Ｓ１０４において開始したシミュレーション背景画像の表示を停止させる（Ｓ１０７）。
【００２８】
次に、主対戦実行部６６は主対戦を実行する（Ｓ１０８）そして、主対戦が終了すると、Ｓ１０１で決定した対戦が全て終了したか、すなわち優勝チームが決定したかを判断し（Ｓ１０９）、優勝チームが決定していなければ、再びＳ１０１に戻って処理を続行する。Ｓ１０１では、２回目以降、Ｓ１０５、Ｓ１０６及びＳ１０８で得られた対戦結果を反映して、さらに次の対戦カード（２回戦以降）を決定する。
【００２９】
図７は、関連対戦シミュレート部６０による関連対戦シミュレーション処理を示すフロー図である。同図に示すように、この処理では、まずゲームデータベース５８に記憶される両チームのサッカーチーム情報に基づき、対戦状況を更新する（Ｓ２０１）。対戦状況は、例えば選手位置やボール位置等を含む。そして、Ｓ２０１において得点イベント等が発生したと判断すると（Ｓ２０２）、そのイベント日時をイベント記憶部７２に記憶するとともに（Ｓ２０３）、それに対応づけてイベント内容をイベント記憶部７２に記憶する（Ｓ２０４）。Ｓ２０２において、得点イベント等が発生しなかったと判断される場合には、Ｓ２０３及びＳ２０４の処理をスキップする。そして、関連対戦が終了するまで（試合結果が出るまで）、以上の処理を繰り返す（Ｓ２０５）。
【００３０】
図８は、主対戦部７４による主対戦処理を示すフロー図である。同図に示すように、この処理では、まず主対戦実行部６６が、操作部７０による作戦指示等を受け付ける（Ｓ３０１）。そして、ゲームデータベース５８に記憶される両チームのサッカーチーム情報に基づき、対戦状況を更新し、更新後の対戦状況に基づいて対戦画面をモニタ１８に表示させる（Ｓ３０２）。このとき、対戦音声もスピーカ２２から出力させる。また、対戦状況には、ゲーム空間における現在日時も含まれる。そして、操作部７０から対戦途中の作戦指示入力がされているか否かを判断し（Ｓ３０３）、されていればその指示をゲームデータベース５８に反映させる（Ｓ３０４）。一方、作戦指示入力がされていなければ、Ｓ３０４の処理をスキップする。
【００３１】
次に、イベント日時到来監視部６４が、イベント記憶部７２からイベント日時を読み出し、該イベント日時とＳ３０２で更新された現在日時とが一致しているか否かを判断する（Ｓ３０５）。そして、一致していれば、関連試合のイベント日時が到来したと判断して、イベント内容出力部６２がイベント記憶部７２から該イベント日時に対応するイベント内容を読み出し、それをモニタ１８等に出力するための出力要求と共に主記憶２６に記憶させる（Ｓ３０６）。また、Ｓ３０５において、イベント日時と現在日時とが一致していないと判断すると、Ｓ３０６の処理をスキップする。
【００３２】
その後、主対戦が終了するまで（試合結果が出るまで）、以上の処理を繰り返す（Ｓ３０７）。このとき、Ｓ３０２では、Ｓ３０６においてイベント内容及び出力要求が主記憶２６に記憶されていると、対戦画面の下側に該イベント内容（メッセージ）を出力する。
【００３３】
以上説明したゲーム装置１０によれば、主対戦の実行中、ゲーム空間において同時期に行われている関連対戦で発生するイベントを随時出力させることができるようになり、この種のゲームの緊迫感を増すことができる。
【００３４】
なお、本発明は上記実施形態に限定されるものではない。
【００３５】
例えば、以上の説明ではプログラムを情報記憶媒体たるＤＶＤ−ＲＯＭ２５から家庭用ゲーム機４６に供給するようにしたが、通信ネットワークを介してプログラムを家庭等に配信するようにしてもよい。図９は、通信ネットワークを用いたプログラム配信システムの全体構成を示す図である。同図に示すように、このプログラム配信システム１００は、ゲームデータベース１０２、サーバ１０４、通信ネットワーク１０６、パソコン１０８、家庭用ゲーム機１１０、ＰＤＡ（携帯情報端末）１１２を含んでいる。このうち、ゲームデータベース１０２（情報記憶媒体）とサーバ１０４とによりプログラム配信装置１１４が構成される。通信ネットワーク１０６は、例えばインターネットやケーブルテレビネットワークを含んで構成されている。このシステムでは、ゲームデータベース１０２に、ＤＶＤ−ＲＯＭ２５の記憶内容と同様のプログラムが記憶されている。そして、パソコン１０８、家庭用ゲーム機１１０又はＰＤＡ１１２等を用いて需要者がゲーム配信要求をすることにより、それが通信ネットワーク１０６を介してサーバ１０４に伝えられる。そして、サーバ１０４はゲーム配信要求に応じてゲームデータベース１０２からプログラムを読み出し、それをパソコン１０８、家庭用ゲーム機１１０、ＰＤＡ１１２等、ゲーム配信要求元に送信する。ここではゲーム配信要求に応じてゲーム配信するようにしたが、サーバ１０４から一方的に送信するようにしてもよい。また、必ずしも一度にゲームの実現に必要な全てのプログラムを配信（一括配信（ダウンロード型配信））する必要はなく、ゲームの局面に応じて必要な部分を配信（分割配信（ストリーム型配信））するようにしてもよい。このように通信ネットワーク１０６を介してゲーム配信するようにすれば、プログラムを需要者は容易に入手することができるようになる。
【００３６】
【発明の効果】
以上説明したように、本発明によれば、主対戦の実施中、関連対戦のイベント内容を出力することができるようになり、ゲームの興趣を増すことができる。
【図面の簡単な説明】
【図１】本発明の実施形態に係るゲーム装置のハードウェア構成を示す図である。
【図２】コントローラの一例を示す図である。
【図３】本発明の実施形態に係るゲーム装置の機能ブロックを示す図である。
【図４】トーナメントツリー（対戦情報）の一例を示す図である。
【図５】主対戦画面の一例を示す図である。
【図６】大会ルーチンを示すフロー図である。
【図７】関連対戦シミュレーションルーチンを示すフロー図である。
【図８】主対戦ルーチンを示すフロー図である。
【図９】本発明の他の実施形態に係るプログラム配信システムの全体構成を示す図である。
【符号の説明】
１０  ゲーム装置、１２  バス、１４  マイクロプロセッサ、１６  画像処理部、１８  モニタ、２０  音声処理部、２２  スピーカ、２４  ＤＶＤ−ＲＯＭ再生部、２５  ＤＶＤ−ＲＯＭ、２６  主記憶、３０  入出力処理部、３２  コントローラ、３４  方向キー、３６  スタートボタン、３８Ａ，３８Ｂ，３８Ｘ，３８Ｙ  ボタン、４２  メモリカード、４６，１１０  家庭用ゲーム機、５２関連対戦選出部、５４  擬似開始日時決定部、５６  対戦決定部、５８  ゲームデータベース、６０  他対戦シミュレート部、６２  イベント内容出力部、６４  イベント日時到来監視部、６６  主対戦実行部、６８  関連対戦シミュレート部、７０  操作部、７２  イベント記憶部、７４  主対戦部、１００  プログラム配信システム、１０２  ゲームデータベース、１０４  サーバ、１０６  通信ネットワーク、１０８  パソコン、１１２  携帯情報端末（ＰＤＡ）、１１４
プログラム配信装置。
【図１】
0003546206.tif 000002
【図２】
0003546206.tif 000003
【図３】
0003546206.tif 000004
【図４】
0003546206.tif 000005
【図５】
0003546206.tif 000006
【図６】
0003546206.tif 000007
【図７】
0003546206.tif 000008
【図８】
0003546206.tif 000009
【図９】
0003546206.tif 000010